(57)【要約】【課題】女性の生理用タンポンを提供する。【解決手段】  主に一つの薄膜、一つの内綿質吸収体及び一つの外綿質支持筒で構成する女性の生理用タンポンの構造である。主に一つの内綿質吸収体及び一つの外綿質支持筒を該薄膜で内外ダブル層の形で被覆し、同様に該内綿質吸収体を使って経血を吸収する働きを残し、更に該薄膜により膣に出し入れする際に、ユーザーは不快を全く感じることがないタンポンの構造。【選択図】  図３
2020157040.tif 000002
【特許請求の範囲】
【請求項１】
一つの薄膜、一つの内綿質吸収体及び一つの外綿質支持筒を含み、
該薄膜は柔軟性及び延性のどちらも最適な材料で一つの長い袋状に成型し、該薄膜の頂縁は密封状を形成し、底部に一つの開口を形成し、該薄膜の下半部の外壁に同材料で突起リングを成型し、該頂縁の内部膜体から同材料且つ同体成型のヒモを垂らし、該ヒモは下向きに適切な長さを延伸し、該内綿質吸収体は高密度の綿質吸収材料を圧縮加工した圧縮体であり、該内綿質吸収体の頂端はややアーク状に形成し、該内綿質吸収体の全体の長さは、該薄膜の長さの半分より長くし、断面の直径は該薄膜の内側直径より大きくし、液体を吸収して膨張できる特徴を持ち、該外綿質支持筒は高密度の綿質の材料を圧縮加工し、上下端がいずれも開口を持つ一つの筒状の物品であり、該外綿質支持筒の内径は該内綿質吸収体の断面の直径より大きいことを特徴とする女性の生理用タンポンの構造。
【発明の詳細な説明】
【技術分野】
【０００１】
本発明は女性の生理用タンポンに関し、特に使用時に不快を感じさせない女性の生理用タンポンに関する。
【背景技術】
【０００２】
目下市販されている従来のタンポンは“フィンガータイプ”及び“アプリケータータイプ”の二種類がある。“フィンガータイプ”のタンポンは図１に示すように、原始形態と呼ばれるタンポンであり、該タンポンは一つの本体及び取り出すとき用の一本のヒモで構成する。該本体は一種の高密度の綿質吸収体で作られた圧縮体であり、周りには均等に数本の溝が圧縮され、圧縮状態を拘束すると同時に、均等に膨張するのを導引する働きがある。前端(頂端)は挿入しやすいアーチ型の突出状であり、該ヒモは該本体の尾端と接続し、本体を引っ張る際に用いる。使用する際、指を使って本体を膣の中に入れ、そして適切な位置(子宮頚部に近い)にまで押し入れる。“アプリケータータイプ”のタンポンは図２に示すように、主に前記図１に示す原始形態のタンポンを製造する際に、直接一つのアプリケーター内に入れる。該アプリケーターの前端に若干数の切り込みを入れることにより複数枚のアーチ状の薄い切開シートを形成する。該アプリケーター内には、一つの下向きに押し出す中空の筒を設置する。タンポンの尾端のヒモは、該中空状の押し出し筒の中を通し、少し露出する。使用する際、指で該アプリケーターを持ち、前端を膣内に入れてから、該押し出し棒を押して該タンポンを押し進める。該タンポンは該複数の切開シートを押し開けて膣内に入り、適切な位置(子宮頚部に近い)にまで押し入れる。そして該アプリケーターを押し出し棒と共にゆっくり膣から取り出す。これで分かるように、該フィンガータイプのタンポンは、ユーザーが指を使って膣内に挿入し、該アプリケータータイプのタンポンは、アプリケーター及び押し出し棒で膣内に挿入する。
【０００３】
上述の従来のタンポンの中で、該フィンガータイプのタンポンは基本形態(原始形態)であり、該アプリケータータイプのタンポンは、基本形態のタンポンをアプリケーター内に組み入れて構成したものである。実際使用する際、最後は該タンポンのみが女性の膣の中に留まり(経血を吸収)、該アプリケーターは膣から出さなければならない。よって、膣の内壁と比較的長い時間(一般的に数時間)接触するのは、該基本形態のタンポンである。従来のタンポンは高密度の綿質吸収体を圧縮したものであり、衛生さを保つためにも、使用する前は、必ず確実に乾燥している状態にする必要がある。完全に乾燥しているために外壁がやや粗くなり、タンポンを膣内に入れる過程において、綿質の圧縮体の乾燥した粗い外壁が、膣の内壁と摩擦するため、ユーザーに極度な不快感を与える。これが従来のタンポンを使用する際に、克服しにくい問題点である。その他、従来のタンポンを使用する際に、経血の量が多すぎて漏れる状況が起きる場合がある。その原因は：ユーザー個人の惰性(頻繁に交換するのを怠る)、外出先で交換するタイミングと場所をつかめにくい、またはユーザーが自分の体の状況をはっきりと把握していないなどが考えられ、それにより突然経血量が増えた際に、従来のタンポンでは完全に吸収することができない。更に子宮内部の圧力により、経血が膣の内壁(多くのシワがある)とタンポンの間にある隙間から徐々に下向きに漏れる。更に従来のタンポンが経血を多く吸収した後、本体が膨張して飽和状態となり、引っ張る出す際に、膣内部のシワに残されて吸収されなかった経血の塊を掻き出せないことを鑑みて、更なる改善が必要であった。
【先行技術文献】
【特許文献】
【０００４】
【特許文献１】実用新案登録第3219562号公報
【発明の概要】
【発明が解決しようとする課題】
【０００５】
従来のタンポンを使用する際に、ユーザーが不快を感じ易い問題に対し、本発明では一種の薄膜を用いて、一つの内綿質吸収体及び一つの外綿質支持筒の内外二層タイプで被覆し、新しいタンポンの構造を形成するよう構想した。こうすれば同様に綿質吸収体を使って経血を吸収する働きを保留できると同時に、薄膜により膣に出し入れする際に、ユーザーに与えた不快感が全く無くなる。本発明の主な目的は、使用する際に感じていた不快感を全て無くすことのできる女性の生理用タンポンの構造を提供することにある。
【課題を解決するための手段】
【０００６】
上述の目的を解決するために、本発明は女性の生理用タンポンの構造を提供するものであり、一つの薄膜、一つの内綿質吸収体及び一つの外綿質支持筒で構成する。その中、該薄膜は柔軟性及び延性のどちらも最適な材料で一つの長い袋状に成型し、該薄膜の頂縁は密封状を形成し、底部に一つの開口を形成する。該頂縁の内部膜体から同材料且つ同体成型のヒモを垂らし、該ヒモは下向きに延伸する。該内綿質吸収体は高密度の綿質吸収材料を圧縮加工した圧縮体であり、液体を吸収して膨張できる特徴を持つ。該外綿質支持筒は綿質の材料を圧縮加工し、上下端がいずれも開口を持つ一つの筒状の物品である。該外綿質支持筒の内径は該内綿質吸収体の断面の直径より大きい。組み立てる際、該外綿質支持筒は該薄膜の下方の開口より上向きに、該薄膜の下半部の膜体内に全て押し入れると同時に、該内綿質吸収体は、該薄膜の頂縁より、該頂縁を抵触しながら下向きに該薄膜の内部に入れ、そして共に該外綿質支持筒の内部に挿入する。
【０００７】
前記タンポンの該薄膜下半部の外壁には、同材料で突起リングを成型する。
【０００８】
前記タンポンの該薄膜の厚みは０.０２〜０.０７ｍｍの間とする。
【０００９】
前記タンポンの該内綿質吸収体の頂端はややアーク状に形成する。
【００１０】
前記タンポンの該内綿質吸収体の全体の長さは、該薄膜の長さの半分より長くし、断面の直径は該薄膜の内側直径より大きくする。
【００１１】
前記タンポンの該薄膜の外膜体に少量の潤滑剤を塗ることができる。
【００１２】
前記構造の構成に基づき、使用時には下記のような明らかな改善が見られる。
【００１３】
１、本発明のタンポンを使用する際、女性の膣の内壁と接触するのは、該薄膜の外膜体(突起リングを含む)の部位である。該薄膜本体の材料が極めて柔らかい(全く粗くない)ため、該外膜体 (突起リングを含む)の部位が膣に入り、内壁と接触する際にも、ユーザーは不快に感じることがない。更に該外膜体に突起リングを設けるため、膣の内壁を広げ易く、膣に入れるのも更に容易となる。
【００１４】
２、本発明のタンポンを使用する際、該外膜体(突起リングを含む)に既に少量の潤滑剤を塗布してあるため、膣内に入れる過程において、更にスムーズとなり、全く不快に感じない。仮に購入したタンポンが事前に潤滑剤を塗布していない場合、ユーザーは使用する前に自分で塗布することもでき(メーカは付属品として付けるか、ユーザーが自分でお好みの潤滑剤を購入して使用することも可能)、それにより膣内に入れる過程が、よりスムーズになる。
【００１５】
３、本発明のタンポンを使用する際、該タンポンを適切な位置にまで押した時、該外膜体(突起リングを含む)は、直ちに該位置の膣内壁と密着して接触する。大量の経血が流れるときには、浸透して外に漏れることがない。よって、本発明のタンポンは最良の定位及び漏れ防止の効果を具有する。
【００１６】
４、本発明のタンポンを使用する際、該内綿質吸収体の頂端は遮蔽されないため、経血が流れて来た時、該内綿質吸収体は吸収しながら外向きに膨張する。該薄膜は柔軟性及び延性のいずれも最適な材料で作られ、及び該外綿質支持筒は綿質材料で作られているため、該内綿質吸収体が外向きに膨張する際、該薄膜は耐えながら共に対応して拡張すると同時に、該外綿質支持筒もまた対応して彎曲する。
【００１７】
５、本発明のタンポンを使用する際、使用が終ると、手で該ヒモを膣の入口方向に引っ張るだけで、経血を吸収したタンポンを体外に引っ張り出すことができる。その過程において、該外膜体に含まれる突起リングは、柔らかく摩擦する形で膣の内壁を滑り、それにより膣の内壁に付着している異物(例えば血の塊)を排除するサポートをする。
【発明の効果】
【００１８】
本発明は主に一つの内綿質吸収体及び一つの外綿質支持筒を該薄膜で内外ダブル層の形で被覆し、同様に該内綿質吸収体を使って経血を吸収する働きを残し、更に該薄膜により膣に出し入れする際に、ユーザーは不快を全く感じることがないほか、突起リングを設けることで、柔らかく摩擦する形で膣の内壁を滑り、それにより膣の内壁に付着している異物(例えば血の塊)を排除することができる。
【図面の簡単な説明】
【００１９】
【図１】従来のフィンガータイプのタンポンの外観立体図である。
【図２】従来のアプリケータータイプのタンポンの外観立体図である。
【図３】本発明のタンポンの外観立体図である。
【図４】本発明のタンポンを組み立てる前の構造組成分解図である。
【図５】本発明のタンポンの連続組立動作の過程略図である。
【図６】本発明のタンポンの連続組立動作の過程略図である。
【図７】本発明のタンポンの連続組立動作の過程略図である。
【図８】本発明のタンポンの拡大断面図である。
【図９】本発明のタンポンの外表面に一層の薄膜を被せ、包装及び保護層とする略図である。
【図１０】本発明のタンポンを一つのフィルムに入れて、包装及び保護層とする略図である。
【発明を実施するための形態】
【実施例】
【００２０】
本発明が上記目的に達するために採用する技術手段及び達成する効果などを実施例及び図と共に、下記に詳細に説明をする。
【００２１】
本発明の名称は「女性の生理用タンポン」であり、主に女性の生理用のタンポンについて改良を行い、新しいタンポンを組成した。図３、図４に示すように、本発明全体は一つのタンポン１であり、構造上は一つの薄膜１０、一つの内綿質吸収体２０、一つの外綿質支持筒３０で構成する。その中、該薄膜１０は、ラテックス、シリコーン…などの複合材料で柔軟性及び延性のどちらも最適な材料で一つの長い袋状に成型する。該薄膜１０の膜体の厚みは０.０２〜０.０７ｍｍの極薄がベストであるが、それに限られない。該薄膜１０の頂縁１０１は密封状を形成し、底部に一つの開口１０２を形成する。該頂縁１０１の内部膜体から同材料且つ同体成型のヒモ１１を垂らし、該ヒモ１１は下向きに適切な長さを延伸する。該薄膜１０の下半部の外壁に同材料で数本の突起リング１２を成型し、該突起リング１２は(図３及び図４の方向で見て)下向きに外側に広がる断面が三角錐の形をしたものである。該内綿質吸収体２０は高密度の綿質吸収材料を圧縮加工した圧縮体であり、液体を吸収して膨張できる特徴を持つ。頂端(前端)はややアーク状に形成するのが最適であり、該内綿質吸収体２０の全体の長さは、該薄膜１０の長さの半分より長くすることができ、断面の直径は該薄膜１０の内側直径より大きくすることができる。該外綿質支持筒３０は綿質の材料を圧縮加工し、上下端がいずれも開口を持つ一つの筒状の物品である。該外綿質支持筒３０の内径は該内綿質吸収体２０の断面の直径よりやや大きい。
【００２２】
該タンポン１の組立ステップがあり、該薄膜１０は柔軟性及び延性がいずれもベストの材料で作られるため、まず図５に示すように、治具(図に未掲載)を介して引張り、且つ該薄膜１０の両端を広げる。そして該外綿質支持筒３０を該薄膜１０の下方開口１０２より上向きに押し、該薄膜１０の下半部内に入れることで、該外綿質支持筒３０が該薄膜１０を広げ、そして該薄膜１０の下半部の膜体に沿って進入する。同時に該内綿質吸収体２０は該薄膜１０の頂縁１０１の部分より該頂縁１０１を抵触して下向きに該薄膜１０内部に沈めながら挿入する。引き続き図６に示すように、該外綿質支持筒３０が完全に該薄膜１０の下半部の膜体内に押し入れると同時に、該内綿質吸収体２０は該頂縁１０１を抵触して底端が該外綿質支持筒３０の頂端と接触するまで押し入れる。最後に図７に示すように、該内綿質吸収体２０は該頂縁１０１を抵触して引続き下向きに、完全に該外綿質支持筒３０の内部に進入するまで押し込む。以上で組立が完了し、該タンポン１の外観は図３に示す通りである。
【００２３】
組立が完了したタンポン１は、該薄膜１０の膜体は複数の部位に分けられる。図８に示すように、最も外側の部位は一つの筒状の外膜体１０ａを形成し、該外膜体１０ａの頂縁は内側に折り曲げて環状を形成する頂膜体１０ｂを形成する。そして更に下向きに折り曲げて一つの筒状の内膜体１０ｃを形成し、該内膜体１０ｃの底縁は、共同で囲って一つの底膜体１０ｄを形成する。その中、該外膜体１０ａ、頂膜体１０ｂ、内膜体１０ｃ及び底膜体１０ｄの四つに分けて形成するのは、該外綿質支持筒３０は該薄膜１０の下方開口１０２より上向きに該薄膜１０の下半部内に押し入れると同時に、該内綿質吸収体２０は該薄膜１０の頂縁１０１と抵触し、下向きに該薄膜１０内部に押し入れたためである。
【００２４】
図７、図８に示すように、組立完了後のタンポン１の該内綿質吸収体２０の頂端は遮られず、周りは該薄膜１０の内膜体１０ｃと密着して接触する。底端は該薄膜１０の底膜体１０ｄと密着して接触する。該外綿質支持筒３０の内壁面は該内綿質吸収体２０の周りと共に該薄膜１０の内膜体１０ｃと密着して接触する。該外綿質支持筒３０の外壁面は該薄膜１０の外膜体１０ａと密着して接触し、該外綿質支持筒３０の頂縁は該薄膜１０の頂膜体１０ｂと密着して接触し、該外膜体１０ａの外壁面に、該突起リング１２を設ける。同時に、言及すべきことは、該内綿質吸収体２０の長さは、必ずしも該外綿質支持筒３０の長さと同じにする必要がない。実際に実施する際、該内綿質吸収体２０の長さは、該外綿質支持筒３０の長さより長くすることができる。つまり、該内綿質吸収体２０は少なくとも三分の二以上の長さを該外綿質支持筒３０に入れればよい。
【００２５】
該タンポン１は清潔な状態で使用する必要があるため、製造及び組立完了後は、直ちに隔離式包装をしなければならない。図９に示すように、組立完了後、該タンポン１全体の外表面に一層の薄膜４０を覆う(例えば収縮膜)ことで、包装及び保護層とする。或いは図１０に示すように、組立完了後のタンポン１全体を一つのフィルム５０に入れることで、包装及び保護層とする。更に付け加えて説明したいことは、該タンポン１に隔離式包装を行う前に、該薄膜１０の外膜体１０ａ(突起リング１２を含む)に少量の潤滑剤を塗ることができる。隔離式包装を開けてタンポン１を取り出す際に、該タンポン１の外膜体１０ａ(突起リング１２を含む)に少量の潤滑剤が含まれているのを感じることができる。
【００２６】
よって、女性は該タンポン１を持って膣内に入れることができ、且つ適切な位置(子宮頚部に近い)にまで押し入れる。フィンガータイプのタンポン１として使用、つまり直接指で膣内に入れるほか、該タンポン１は同様に製造時に、直接一つのアプリケーター内に入れて、アプリケータータイプのタンポン１として使用できる。つまり、本発明のタンポン１は、使用する際の操作方法は、従来のタンポンと全く同じである。しかし、本発明のタンポン１を使用する時、明らかに下記の効果がある。
【００２７】
１、本発明のタンポン１を使用する際、女性の膣の内壁と接触するのは、該薄膜１０の外膜体１０ａ(突起リング１２を含む)の部位である。該薄膜１０本体の材料が極めて柔らかい(全く粗くない)ため、該外膜体１０ａ(突起リング１２を含む)の部位が膣に入り、内壁と接触する際にも、ユーザーは不快に感じることがない。正確に言うと、従来のタンポンのように、ユーザーが大変不快を感じる可能性が大幅に低くなり、全く不快に感じなくなることもあると言っても良い。更に該外膜体１０ａに突起リング１２を設けているため、膣の内壁を広げるのに便利であり、膣に入れるのももっと容易となる。
【００２８】
２、本発明のタンポン１を使用する際、該外膜体１０ａ(突起リング１２を含む)に既に少量の潤滑剤を塗布してあるため、膣内に入れる過程において、更にスムーズとなり、全く不快に感じない。仮に購入したタンポン１が事前に潤滑剤を塗布していない場合、ユーザーは使用する前に自分で塗布することもでき(メーカは付属品として付けるか、ユーザーが自分でお好みの潤滑剤を購入して使用することも可能)、それにより膣内に入れる過程が、よりスムーズになる。
【００２９】
３、本発明のタンポン１を使用する際、該タンポン１を適切な位置にまで押した時、該外膜体１０ａ(突起リング１２を含む)は、直ちに該位置の膣内壁と密着して接触する。大量の経血が流れるときには、浸透して外に漏れることがない。よって、本発明のタンポン１は最良の定位及び漏れ防止の効果を具有する。
【００３０】
４、本発明のタンポン１を使用する際、該内綿質吸収体２０の頂端は遮蔽されないため、経血が流れて来た時、該内綿質吸収体２０は吸収しながら外向きに膨張する。該薄膜１０は柔軟性及び延性のいずれも最適な材料で作られ、及び該外綿質支持筒３０は綿質材料で作られているため、該内綿質吸収体２０が外向きに膨張する際、該薄膜１０は耐えながら共に対応して拡張すると同時に、該外綿質支持筒３０もまた対応して彎曲する。説明すべきことは、該外綿質支持筒３０の働きは、未使用の際にはタンポン１全体を支持して固定した形態にさせる。使用中は該内綿質吸収体２０の膨張が激しく、それにより該外綿質支持筒３０が破れても問題がないのは、該外膜体１０ａ(突起リング１２を含む)が膣の内壁としっかり接触し、該内綿質吸収体２０の膨張は、ただ該外綿質支持筒３０をより外向きに押すだけとなるため、該外綿質支持筒３０が破れているか否かは、該内綿質吸収体２０の経血を吸収する働きを邪魔しない。
【００３１】
５、本発明のタンポン１を使用する際、使用が終ると、手で該ヒモ１１を膣の入口方向に引っ張るだけで、経血を吸収したタンポン１全体を体外に引っ張り出すことができる。その過程において、該外膜体１０ａにある突起リング１２は、柔らかく摩擦する形で膣の内壁を滑り、それにより膣の内壁に付着している異物(例えば血の塊)を排除するサポートをする。
【００３２】
上記の説明で分かるように、本発明は主に一つの内綿質吸収体２０及び一つの外綿質支持筒３０を一つの薄膜１０で内外ダブル層の形で被覆し、新しい構造のタンポン１を形成する。このようにすれば、同様に該内綿質吸収体２０を使って経血を吸収する働きを残し、更に該薄膜１０により膣に出し入れする際に、ユーザーは不快を全く感じることなく、従来の問題を改善できた。
【００３３】
以上の実施例による本発明の詳細な説明は本発明の範囲を制限するものではない。本技術に熟知する者は、固定構造の変更などの適当な変更および調整を行うことができ、これらの変更および調整を行っても本発明の重要な意義は失われず、本発明の範囲に含まれる。
【符号の説明】
【００３４】
１  タンポン   
１０  薄膜    
１０ａ  外膜体
１０ｂ  頂膜体   
１０ｃ  内膜体  
１０ｄ  底膜体
１０１  頂縁    
１０２  開口   
１１  ヒモ
１２  突起リング
２０  内綿質吸収体  
３０  外綿質支持筒
４０  薄膜     
５０  フィルム
【図１】
2020157040.tif 000003
【図２】
2020157040.tif 000004
【図３】
2020157040.tif 000005
【図４】
2020157040.tif 000006
【図５】
2020157040.tif 000007
【図６】
2020157040.tif 000008
【図７】
2020157040.tif 000009
【図８】
2020157040.tif 000010
【図９】
2020157040.tif 000011
【図１０】
2020157040.tif 000012